(57)【要約】【課題】数百キログラムの内容物を充填した場合でも、安定した直立状態を維持し、かつ、内容物を充填した後でのフレコンバッグの取り出しを容易に行えるようにする。また、フレコンバッグに付属するベルトが挟まれないようにしたフレコンバッグ積載用スタンドを提供する。【解決手段】フレコンバッグと呼ばれる種類の袋状容器を、内容物を充填したまま立てて積載するためのスタンドについて、フレコンバッグＣの左右及び後の３方を囲む側枠１１、１２、１３と底枠１４によってスタンド本体を形成するとともに、フレコンバッグＣの前を囲む側枠として、左右の側枠１１、１２の前部に掛け渡す棒状の横枠３０を少なくとも１個備えるものとし、棒状の横枠３０は、左右両端の内少なくとも一方の端部を左右の側枠１１、１２の一方又は両方に設けられた受け部３１、３２に着脱自在に嵌合する構成を有し、かつ、上記の端部を受け部３１、３２から外したときにフレコンバッグＣの取り出しを容易にするために、受け部３１、３２を有している左右の側枠３１、３２の一方又は両方が外方へ開き得るように構成する。【選択図】          図１
0003120778.tif 000002
【実用新案登録請求の範囲】
【請求項１】
フレコンバッグと呼ばれる種類の袋状容器を、内容物を充填したまま立てて積載するためのスタンドであって、フレコンバッグの左右及び後の３方を囲む側枠と底枠によってスタンド本体を形成するとともに、フレコンバッグの前を囲む側枠として、左右の側枠の前部に取り付ける棒状の横枠を少なくとも１個備え、棒状の横枠は、左右両端の内少なくとも一方の端部を左側枠又は右側枠に設けられた受け部に着脱自在に掛け渡す構成を有し、かつ、上記の端部を受け部から外したときにフレコンバッグの取り出しを容易にするために、受け部を有している左右の側枠が外方へ開き得るようにした構成を有するフレコンバッグ積載用スタンド。
【請求項２】
スタンド本体を構成する左右及び後の側枠は、それぞれの下部に車輪を有し、かつ、上下方向への移動を防止する係合ピンにより底枠と係合しており、それにより、棒状の横枠を受け部から外したときに側枠が左右方向外方へ開き得るようにした構成を有する請求項１記載のフレコンバッグ積載用スタンド。
【請求項３】
フレコンバッグに付属しているベルトを側枠に固定し、ベルトが、フレコンバッグと側枠との間に挟まれるのを防止するベルト止め手段を側枠の上部に設けた構成を有する請求項１記載のフレコンバッグ積載用スタンド。
【考案の詳細な説明】
【技術分野】
【０００１】
本考案は、フレコンバッグと呼ばれる種類の袋状容器を、内容物を充填したまま立てて積載するためのスタンドに関するものである。
【背景技術】
【０００２】
例えば、産業廃棄物などの収集や、搬送に使用される袋状容器として、フレコンバッグ（フレキシブルコンテナーバッグ）と呼ばれるものがあり、広く利用されている。この種の袋状容器は、角型や円筒型など形状はさまざまであるが、合成繊維より成るシート類を用いて強靭かつ柔軟な構造に形成されており、数百キログラムの内容物を充填することができる。しかし柔軟であるため、バッグを直立させることが困難であり、充填等の作業を行う際には何らかの支えが必要である。
【０００３】
従来、フレコンバッグを支えるには、例えば金属製の台の四隅にポールを立てたスタンドを用いて行う方法があった。しかし、内容物が軽量であるか、或いは重量物でも少量の内は問題がないが、何百キロもの内容物を充填すると安定した直立は困難となる。また、充填した内容物により膨らむので、フレコンバッグをスタンドから取り出すときにポールを圧迫し、引っ張り上げてもスタンドから離れにくく、スタンドごと動いてしまうという問題があった。
【０００４】
また、フレコンバッグにはベルトが付属しているが、これがフレコンバッグとスタンドとの間に挟まれたまま内容物が充填されてしまうと、ベルトを後から取り出すことは大変に困難となる。しかしながら、上記のような事態になることを防止する対策は未だ講じられていない。
【０００５】
【特許文献１】特開平８−１６９３４４号
【特許文献２】特開２００４−１５５４５７号
【考案の開示】
【考案が解決しようとする課題】
【０００６】
本考案は以上の点に着目して成されたもので、その課題は、数百キログラムの内容物を充填した場合でも、安定した直立状態を維持し、かつ、内容物を充填した後でのフレコンバッグの取り出しを容易に行えるようにすることである。また、本考案の他の課題は、フレコンバッグに付属するベルトが挟み込まれないようにしたフレコンバッグ積載用スタンドを提供することである。
【課題を解決するための手段】
【０００７】
前記の課題を解決するため本考案は、フレコンバッグと呼ばれる種類の袋状容器を、内容物を充填したまま立てて積載するためのスタンドについて、フレコンバッグの左右及び後の３方を囲む側枠と底枠によってスタンド本体を形成するとともに、フレコンバッグの前を囲む側枠として、左右の側枠の前部に取り付ける棒状の横枠を少なくとも１個備え、棒状の横枠は、左右両端の内少なくとも一方の端部を左側枠又は右側枠に設けられた受け部に着脱可能に掛け渡す構成を有し、かつ、上記の端部を受け部から外したときにフレコンバッグの取り出しを容易にするために、受け部を有している左右の側枠が外方へ開き得るようにするという手段を講じたものである。
【０００８】
本考案のスタンドは、柔軟な構造を持っているフレコンバッグと呼ばれる種類の袋状容器を、内容物を充填したまま立てて積載することを目的とする。故に、フレコンバッグを立てて積載できることが第１であるので、この条件を満たせば、請求項１のスタンドとしては、十分である。つまり、車輪を持っていなくても、また、持っていても請求項１のスタンドに該当する。
【０００９】
本考案のフレコンバッグ積載用スタンドを構成するスタンド本体は、フレコンバッグの左右及び後の３方を囲む側枠と底枠とを有している。スタンド本体を構成している左右及び後の３方を囲む側枠と底枠とは、柔軟性のあるフレコンバッグが食い込まないように、できるだけ平面的な表面構造を有していることが望ましい。なお、スタンド本体の上方に枠は必要ではないが、枠や、上面を覆うものを設けてはならないということではない。
【００１０】
そして正面には、フレコンバッグの前を囲む側枠として、左右の側枠の前部に掛け渡す棒状の横枠を少なくとも１個備えている。棒状の横枠は、できるだけ平面的な表面構造を有している左右の側枠と異なり、内容物を充填して膨らんでいるフレコンバッグに食い込み得るものであるが、これは、スタンド本体から外してしまうものであるので、内容物の取り出し時に抵抗が問題になるものではないので、棒状の構成を持つものである。棒状という文言は、内部が中空のパイプ状の物を含み、また、断面形状も円形でも角型でもその他の形状でも全く差し支えない。
【００１１】
本考案における棒状の横枠は、左右両端の内少なくとも一方の端部を左側枠又は右側枠に設けられた受け部に着脱可能に嵌合する構成を有しているものとする。故に、棒状の横枠は両端がともに受け部に着脱可能に嵌合するものであっても良いし、また、一方のみ受け部に着脱可能であり、他方はヒンジ類により回転可能に結合された構成を有していても良い。
【００１２】
また、本考案では、上記の端部を受け部から外したときにフレコンバッグの取り出しを容易にするために、受け部を有している左右の側枠が外方へ開き得るようにするという手段を有するものとする。受け部を有している左右の側枠であるから、外方へ開き得る側枠は、左右両方の場合もあり、また、左右どちらか一方のみの場合もある。
【００１３】
スタンド本体を構成する左右及び後の側枠は、それぞれの下部に車輪を有し、かつ、上下方向への移動を防止する係合ピンにより底枠と係合しており、それにより、棒状の横枠を受け部から外したときに側枠が左右方向外方へ開き得るようにした構成を有することは、本考案にとって望ましい構成である。この構成により、棒状の横枠によって左右の側枠が結合されている間、スタンド本体は一定の内容積を保ち、棒状の横枠を外すとフレコンバッグの膨らむ力で、側枠が外方へ開くようになる。
【００１４】
フレコンバッグにはベルトが付属しているが、付属しているベルトを側枠に固定し、ベルトがフレコンバッグと側枠との間に挟まれるのを防止するベルト止め手段を側枠の上部に設けることができる。この構成により、ベルトは予めその位置をスタンド本体外におくことができるので、誤って内部に挟み込まれてしまうという状況は相当程度回避される。
【考案の効果】
【００１５】
本考案は上記のように構成されかつ作用するものであるから、数百キログラムの内容物を充填した場合でも、フレコンバッグの左右及び後の３方を囲む側枠と底枠によって安定した直立状態を維持することができ、かつ、棒状の横枠を受け部から外すことで、受け部を有している左右の側枠が外方へ開き得るので、内容物を充填した後でのフレコンバッグの取り出しを容易に行えるようにすることができる。また、本考案により、フレコンバッグに付属するベルトが挟まれないようにすることができる。
【考案を実施するための最良の形態】
【００１６】
以下図示の実施形態を参照して、本考案に係るフレコンバッグ積載用スタンド１０の一例について、より詳細に説明する。図１はその全体図であり、本スタンド１０は、柔軟な構造を持っているフレコンバッグＣと呼ばれる種類の袋状容器を、内容物を充填したまま立てて積載することを一つの目的としている。
【００１７】
本考案のフレコンバッグ積載用スタンド１０を構成するスタンド本体は、フレコンバッグの左右及び後の３方を囲む側枠１１、１２、１３と底枠１４とを有している。スタンド本体を構成している左右及び後の３方を囲む側枠１１、１２、１３は、格子枠状の骨格構造を有しており、その内、左右の側枠１１、１２については、柔軟性のあるフレコンバッグＣが食い込まないように、その格子骨格の内面を板材１５によって覆い、平面的な表面構造を持たせている。後の側枠に板材１５を設けても良いが、図示の例ではそうしていない。
【００１８】
図示の例の場合、スタンド本体を構成する左右及び後の側枠１１、１２、１３は、夫々の下部に車輪２０を有している。車輪２０は、図４に車輪取り付け基板１６、１７、１８、１９としてその位置のみ示してあり、前車輪の左のもの１６は左側枠１１の下部に、前車輪の右のもの１７は右側枠１２の下部に、後車輪は左右のもの１８、１９がともに後側枠１３の下部に設置されている。例示した車輪２０、２０′はストッパー付きとそうでないキャスターを使用している。
【００１９】
また、スタンド本体を構成する右の側枠１２は、後側枠１３にヒンジ２１によって、回転可能に結合されている（図５参照）。従って、スタンド本体を構成する左右及び後の側枠１１、１２、１３は、４個の車輪によって支えられ、各図に示されているコの字型の平面形状を取ることは勿論のこと、右側枠１２のみを内側に回転させて後側枠１３の前面に折り畳み平面Ｌ字状にして片付けることができるように構成されている。底枠１４は、図３Ａ〜Ｃに示すように平板状に形成された部材であり、その後部において後側枠１３の下部にヒンジ２２によって、回転可能に結合されており、かつ、４個の車輪取り付け基板１６、１７、１８、１９の上に設けられたアングルに載って荷重を支えるように構成されている。
【００２０】
また、底枠１４は、その前部において、左右側枠１１、１２の孔部２３、２４と係合する係合ピン２５、２６により上方への移動を防止されており、それにより、上下２段に設けられた棒状の横枠３０を夫々左右側枠１１、１２に設けた受け部３１、３２から外したときに左右側枠１１、１２が左右方向外方へ開き得るようにした構成を有する（図３参照）。なお床枠１４はアングルの上に乗っているために、係合ピン２５、２６がなくても下方向への移動は防止されている。係合ピン２５、２６は底枠１４の下部に突き出した凸部２７、２８を操作部として左右に出没操作可能である。
【００２１】
スタンド本体の正面には、フレコンバッグＣの前を囲む側枠として、左右の側枠の前部に掛け渡す棒状の横枠３０を上下に２個備えている。棒状の横枠３０は、内容物を充填して膨らんでいるフレコンバッグＣに食い込み得るものであるが、これは、スタンド本体から外してしまうものである。図示の例における棒状と横枠３０は、内部が中空の円形パイプ状の物である。しかし、その他の形状、構造でも差し支えない。
【００２２】
本考案における棒状の横枠３０は、左右両端を、左側枠１１及び右側枠１２に設けられた受け部３１、３２に着脱可能に嵌合する鉤型の形状を持つ係合部３３、３４を有している。図示の係合部３３、３４は、棒状の横枠３０の両端部を下方へ曲げ加工したもので、それを受け入れるための受け部３１、３２は、左右の側枠１１、１２の前部に設けた縦方向の開口よりなる。故に、棒状の横枠３０は、両端の係合部３３、３４がともに受け部３１、３２に着脱可能に抜き差しされる構成である（図２参照）。
【００２３】
棒状の横枠３０には、表示板３５を設けることができる（図６参照）。表示板３５は積載物の内容表示や、管理のための事項などを表示する。また、フレコンバッグＣに付属しているベルトＢを側枠１１、１２に固定し、ベルトＢが、フレコンバッグＣと側枠１１、１２、１３等との間に挟まれるのを防止するベルト止め手段を有している。このベルト止め手段は、ゴムバンドのような弾性紐帯３６を使用するもので、弾性紐帯３６を取り付ける部分３７と、弾性紐帯３６を掛け外す係止部３８を左右の側枠１１、１２の上部に設けている（図４参照）。さらに、左右の側枠１１、１２の上部、及び後側枠１３の上部左右には、フレコンバッグＣに備わっている輪状の部分を掛けるフック３９が設けられてい
る。
【００２４】
このように構成された本考案に係るフレコンバッグ積載用スタンド１０は、図１に示すように、左右及び後の側枠１１、１２、１３、底枠１４によって構成されるスタンド本体に、棒状の横枠３０を取り付けてフレコンバッグＣをセットし、内容物を充填するとともに、保管や運搬などの用途に使用する。フレコンバッグＣをフレコンバッグ積載用スタンド１０から取り出すには、棒状の横枠３０を全て取り外し、スタンド本体の前面を開放する。フレコンバッグＣは内容物を充填したことにより膨らんでいるが、その圧力により左右の側枠１１、１２が外方へ開き、抵抗が少なくなるので、上方へも、また、前方へもスムーズに取り出すことができる。
【図面の簡単な説明】
【００２５】
【図１】本考案に係るフレコンバッグ積載用スタンドの一例を示す斜視図。
【図２】図１のものにおいて棒状の横枠を左側枠に設けられた受け部に着脱自在に嵌合する構成を示す部分正面図。
【図３】同じく底枠を示すもので、Ａは一部省略平面図、Ｂは側面図、Ｃは一部省略正面図。
【図４】同じくベルト止め手段を示す部分側面図。
【図５】本考案に係るフレコンバッグ積載用スタンドの一例を示す平面図。
【図６】同じく正面図。
【図７】同じく右側面図。
【図８】同じく左側面図。
【符号の説明】
【００２６】
１０  フレコンバッグ積載用スタンド
１１  左側枠
１２  右側枠
１３  後側枠
１４  底枠
１５  板材
１６、１７、１８、１９  車輪取り付け基板
２０、２０′  車輪
２３、２４  孔部
２５、２６  係合ピン２５、２６
２７、２８  凸部した２７、２８
３０  棒状の横枠
３１、３２  受け部
Ｂ  ベルト
Ｃ  フレコンバッグ
【図１】
0003120778.tif 000003
【図２】
0003120778.tif 000004
【図３】
0003120778.tif 000005
【図４】
0003120778.tif 000006
【図５】
0003120778.tif 000007
【図６】
0003120778.tif 000008
【図７】
0003120778.tif 000009
【図８】
0003120778.tif 000010